(57)【要約】【課題】  骨灰棚の提供。【解決手段】  骨灰棚内にスライドレールが設けられて引出しが取付られ、該引出しの前方面板が透明とされ、造形底板が引出し底部空間により造形設計され、造形底板の上に骨灰缶設置位置が画定され、該造形底板が引出し内に設置され、骨灰棚がその格子空間の二側板により二つの結合板が螺子止めされ、結合板に係止孔が設けられて装飾柱を掛ける係止部品が係止され、並びに装飾柱が引出しの任意脱出を防止し、これにより骨灰缶の設置とデザイン性を有し、出し入れに便利で、美観を有するものとされている。【選択図】        図３
0003111150.tif 000002
【実用新案登録請求の範囲】
【請求項１】
十字形板、一字形板及びＴ字形板で構成された骨灰棚主体を具えた骨灰棚において、
該骨灰棚主体の各単位の側板にスライドレールが設けられ、引出しの前方面板は透明とされ、引出しの側辺に組合せ体が組付けられ、引出しが組合せ体により保持され、組合せ体にレールが組付けられ、レールがスライドレールにスライド自在に組み合わされ、側板の前端面に結合板が螺子止めされ、該結合板に係止孔が設けられて装飾柱の係止部品が係止され、装飾柱の幅が側板前端面より大きく引出しの位置を制限し、引出し内に造形底板が設けられ並びに造形底板の上面に骨灰缶設置位置が画定されると共に底板空間の造形が設けられたことを特徴とする、骨灰棚。
【請求項２】
請求項１記載の骨灰棚において、骨灰缶設置位置が家屋の造形に形成されたことを特徴とする、骨灰棚。
【請求項３】
請求項１記載の骨灰棚において、骨灰棚が単一棚形態とされて上方に屋根造形装飾物が設けられたことを特徴とする、骨灰棚。
【請求項４】
請求項１記載の骨灰棚において、引出し側辺にレールが組付けられてスライドレールとスライド自在に組み合わされて、組合せ体が排除されたことを特徴とする、骨灰棚。
【考案の詳細な説明】
【技術分野】
【０００１】
本考案は一種の骨灰棚に係り、特に骨灰棚の方形格子空間内にスライドレールが設けられて引出しと組み合わされ、該引出し内に置かれる造形底板に骨灰缶設置位置が画定され、並びに造形底板空間を利用して芸術造景が形成され、引出し前方面板が透明とされて直接造景を見る事ができ、骨灰棚の格子空間の二側板に二つの結合板が螺子止めされて装飾柱の係止に供され、装飾柱により引出しの任意脱出が防止され、周知の骨灰棚の単調状態を解決して骨灰棚に造形美観と出し入れが容易な機能を具備させた骨灰棚に関する。
【背景技術】
【０００２】
図１、２は周知の骨灰棚の立体分解図及び立体図である。それは組合せ上、十字形板１、Ｔ字形板２及び一字形板３が組み合わされてなり、構造上、骨灰缶を放置できる以外のその他の用途は全くなく、ゆえに納骨堂に対して一種の排斥の心理を発生させる。
【０００３】
更にこのような周知の骨灰棚は、骨灰缶の脱出を防止できず、開閉式の扉を設置すると内部を見る事ができなくなり、且つただ骨灰缶を放置するだけであり明らかに単調で、使用効果を向上できないことがその欠点である。
【考案の開示】
【考案が解決しようとする課題】
【０００４】
本考案の主要な目的は、上述の各欠点を無くした一種の骨灰棚を提供することにある。そのうち、骨灰棚の各単位内部二側板にスライドレールが設けられてスライド式に引出しが組み合わされ、該引出しの前方面板が透明とされて外部より内部を見る事ができ、また造形底板が引出し底部空間に置かれて造形設計を具備し、該造形底板に骨灰缶放置位置が画定され、該造形底板が引出し内に置かれ、骨灰棚がその格子空間の二側板に二つの結合板が固定され、結合板に装飾柱を係止できるものとされて、装飾柱により引出しの脱出を防止する。以上の組合せにより、骨灰缶の放置、取り出しの容易さ、美観等の効果を有することを特徴とする。
【０００５】
本考案の次の目的は、一種の骨灰棚を提供することにあり、それは、骨灰棚の上方に装飾板を増設して、その全体外観に荘厳な美観を具備させたものとする。
【課題を解決するための手段】
【０００６】
請求項１の考案は、十字形板、一字形板及びＴ字形板で構成された骨灰棚主体を具えた骨灰棚において、
該骨灰棚主体の各単位の側板にスライドレールが設けられ、引出しの前方面板は透明とされ、引出しの側辺に組合せ体が組付けられ、引出しが組合せ体により保持され、組合せ体にレールが組付けられ、レールがスライドレールにスライド自在に組み合わされ、側板の前端面に結合板が螺子止めされ、該結合板に係止孔が設けられて装飾柱の係止部品が係止され、装飾柱の幅が側板前端面より大きく引出しの位置を制限し、引出し内に造形底板が設けられ並びに造形底板の上面に骨灰缶設置位置が画定されると共に底板空間の造形が設けられたことを特徴とする、骨灰棚としている。
請求項２の考案は、請求項１記載の骨灰棚において、骨灰缶設置位置が家屋の造形に形成されたことを特徴とする、骨灰棚としている。
請求項３の考案は、請求項１記載の骨灰棚において、骨灰棚が単一棚形態とされて上方に屋根造形装飾物が設けられたことを特徴とする、骨灰棚としている。
請求項４の考案は、請求項１記載の骨灰棚において、引出し側辺にレールが組付けられてスライドレールとスライド自在に組み合わされて、組合せ体が排除されたことを特徴とする、骨灰棚としている。
【考案の効果】
【０００７】
本考案は以下のような効果を達成できる。
１．引出しの設置にスライドレールとレールが組み合わされ、引出しの出し入れに便利であり、引出し内部への骨灰缶等の設置にも便利である。
２．引出しは装飾柱による両側の阻止により引出しの自動脱出が防止され、装飾柱は着脱に便利であり、更に装飾美観の効果も有している。
３．引出し内部の造形底板は各種の景物の造形とすることができ、並びに骨灰缶設置の位置を設けてその位置にも装飾を施すことで完全に景物に融合させることができ、美観と空間の有効利用の効果を有する。
４．引出しの前方面板が透明に設けられ、外から内部の造形を見る事ができる。
【考案を実施するための最良の形態】
【０００８】
本考案は芸術を生活の場景となし、細かな装飾と渾然とした全体造形により芸術の域にまで到達し、美しい場景を設定することで、現世から来世へと続く不朽の印象を与える骨灰棚を提供するものである。
【０００９】
図３に示されるように、本考案は骨灰棚主体１０を具え、それは、十字形板、一字形板及びＴ字形板で構成され、骨灰棚主体１０は複数の単位２０に分けられ、各単位２０の両側壁面にスライドレール２１が設けられ、スライドレール２１は組合せ体７０のレール３１をスライド自在に組み合わせるのに供される。引出し３０の前方面板３２は透明とされ、外面より内部を完全に見る事ができ、引出し３０の周辺の框３３が引出し３０の範囲を画定している。造形底板４０の幅範囲は引出し３０内に挿入できるものとされ、造形底板４０の範囲内に骨灰缶５０を置く位置が画定され、この位置に家屋造形４１を取り付けることができ、その他の空間には植物４２を配置して庭園造形とするか、或いは個人の好みにより他の造形とすることができ、それに骨灰缶５０の放置と造形設置による美化の機能を具備させることができる。
【００１０】
該組合せ体７０は係止辺７１により引出し３０を保持し、並びに組合せ体７０の円孔７２が引出し３０のネジ孔３４の位置に合わされ、さらにネジ７３により組合せ体７０と引出し３０が固定される。
【００１１】
また、単位２０の二側板の前端面２２にネジ２３で二つの結合板２４が取付られ、結合板２４に係止孔２５が設けられて装飾柱２６の係止部品２６１の係止に供され、装飾柱２６の幅は側板より広く、装飾柱２６が引出し３０を阻止してその自動脱出を防止する。
【００１２】
図４に示されるように、該骨灰棚主体１０の単位２０より引出し３０及び組合せ体７０を引き出したい時は、二つの装飾柱２６の係止部品２６１を係止孔２５より外して装飾柱２６を取り外せば、引出し３０及び組合せ体７０を、レール３１を二側板のスライドレール２１に沿ってスライドさせることで引き出すことができ、造形底板４０と骨灰缶５０を置き入れることができる。
【００１３】
図５は本考案の組合せ立体図であり、引出し３０は出し入れに便利で、また框３３が骨灰缶５０と造形を保護し、外面より内部造形を見る事ができ、美観と視覚美化の効果を有し、骨灰棚の見飽きた造形を、生き生きとしたものとなし、またパーソナライズされた感覚を与えるものとすることができる。
【００１４】
図６に示されるように、該骨灰棚主体１０は単一棚の設計とされる時、その上方に屋根型装飾物６０を設置でき、それに装飾柱２６が加わることで、宮殿のような雰囲気の豪華な視覚美観と空間イメージ、芸術的感覚を与えることができる。
【００１５】
図７、８に示されるように、該引出し３０に直接レール３１を組み付けることも可能で、これにより組合せ体７０の設置を省略できる。
【００１６】
総合すると、本考案は同類の製品中にあって極めて良好な進歩実用性を有し、国内外のこのような構造の技術飼料、文献中に同じ構造の存在は見当たらず、ゆえに本考案は実用新案登録の要件を具備している。
【００１７】
以上の実施例は本考案の実施範囲を限定するものではなく、本考案に基づきなしうる細部の修飾或いは改変は、いずれも本考案の請求範囲に属するものとする。
【図面の簡単な説明】
【００１８】
【図１】周知の骨灰棚の立体分解図である。
【図２】周知の骨灰棚の立体図である。
【図３】本考案の骨灰棚の立体分解図である。
【図４】本考案の骨灰棚の組合せ後の引出しを引いた状態の立体図である。
【図５】本考案の骨灰棚の組合せ後の立体図である。
【図６】本考案の骨灰棚の別の実施例の立体図である。
【図７】本考案の骨灰棚の更に別の実施例の立体分解図である。
【図８】図７の実施例の組合せ後の引出しを引いた状態の立体図である。
【符号の説明】
【００１９】
１  十字形板                        ２  Ｔ字形板
３  一字形板
１０  骨灰棚主体                    ２０  単位
２１  スライドレール                ２２  前端面
２３  ネジ                          ２４  結合板
２５  係止孔                        ２６  装飾柱
２６１  係止部品                    ３０  引出し
３１  レール                        ３２  前方面板
３３  框                            ３４  ネジ孔
４０  造形底板                      ４１  家屋造形
４２  植物                          ５０  骨灰缶
６０  屋根型装飾物                  ７０  組合せ体
７１  係止辺                        ７２  円孔
７３  ネジ
【図１】
0003111150.tif 000003
【図２】
0003111150.tif 000004
【図３】
0003111150.tif 000005
【図４】
0003111150.tif 000006
【図５】
0003111150.tif 000007
【図６】
0003111150.tif 000008
【図７】
0003111150.tif 000009
【図８】
0003111150.tif 000010